(57)【要約】【課題】本発明は、極めて商品価値の高い画期的な収納ケースを提供することを目的とする。【解決手段】開口部を有する箱形ケース体１と、この箱形ケース体１の開口部を開閉自在に閉塞する蓋体２とから成り、前記箱形ケース体１は、その上面部と前面部とに開口部としての上面開口部３と前面開口部４とが連設状態に設けられ、前記蓋体２は、前記上面開口部３を閉塞する上蓋部５と、この上蓋部５に連設状態に設けられ前記前面開口部４を閉塞する前蓋部６とを有するものである。【選択図】図１
2019182526.tif 000002
【特許請求の範囲】
【請求項１】
開口部を有する箱形ケース体と、この箱形ケース体の開口部を開閉自在に閉塞する蓋体とから成り、前記箱形ケース体は、その上面部と前面部とに開口部としての上面開口部と前面開口部とが連設状態に設けられ、前記蓋体は、前記上面開口部を閉塞する上蓋部と、この上蓋部に連設状態に設けられ前記前面開口部を閉塞する前蓋部とを有する収納ケースであって、前記前蓋部は、前記前面開口部の閉塞位置から水平状態となる開放位置まで前記上蓋部に対して起伏回動自在に設けられるとともに、この水平状態の前記前蓋部は、その一部若しくは全部が前記上蓋部の内面部に重合状態となるまで前記上蓋部に対して水平移動自在に設けられており、前記上蓋部は、前記箱形ケース体に対して起伏回動自在若しくは水平スライド移動自在に設けられて、前記前蓋部を内面部に重合状態にて前記上面開口部を開閉し得るように構成されていることを特徴とする収納ケース。
【請求項２】
前記上蓋部は、前記箱形ケース体の上端部にヒンジ部を介して起伏回動自在に設けられていることを特徴とする請求項１記載の収納ケース。
【請求項３】
水平状態の前記前蓋部の左右端部は前記上蓋部の内面側左右端部に摺動支持可能に設けられて、水平状態の前記前蓋部を前記上蓋部に対して水平移動自在とする水平移動構造を具備するとともに、水平状態の前記前蓋部が前記水平移動構造における摺動前方部位に位置する際に該前蓋部の左右端部が前記上蓋部の内面側左右端部に起伏回動可能に設けられて、水平状態の前記前蓋部を前記前面開口部の閉塞位置まで前記上蓋部に対して起伏回動自在とする起伏回動構造を具備することを特徴とする請求項１記載の収納ケース。
【請求項４】
前記前蓋部の左右端部に外方へ向けて突出する軸部が設けられ、この軸部を摺動支持可能な摺動部が前記上蓋部の内面側左右端部の前後長さ方向に設けられて、前記摺動部に対して前記軸部が摺動することで、水平状態の前記前蓋部は、前記上蓋部に対して水平移動自在に設けられて前記水平移動構造は構成され、前記軸部を軸受けする軸受部が前記摺動部の前方部位に設けられて、この軸受部に対して軸部が回動することで、前記前蓋部は前記前面開口部の閉塞位置から水平状態となる開放位置まで前記上蓋部に対して起伏回動自在に設けられて前記起伏回動構造は構成されていることを特徴とする請求項３記載の収納ケース。
【請求項５】
前記上蓋部の左右端部にして前記軸受部若しくは前記軸受部の近傍部位には、前記前蓋部の水平移動に際して該前蓋部の左右端部を支持する支持部が設けられていることを特徴とする請求項４記載の収納ケース。
【請求項６】
前記前蓋部の左右端部には、前記前蓋部の水平移動に際して前記支持部に載置状態で支持される鍔状部が外方へ向けて設けられていることを特徴とする請求項５記載の収納ケース。
【請求項７】
前記軸受部は前記摺動部の前方部位を折り返し湾曲形成して構成され、この軸受部を構成する折り返し湾曲形成部の上面部を前記支持部としたことを特徴とする請求項５，６いずれか１項に記載の収納ケース。
【請求項８】
前記前蓋部の閉塞状態を保持するロック機構を具備することを特徴とする請求項１〜７いずれか１項に記載の収納ケース。
【発明の詳細な説明】
【技術分野】
【０００１】
本発明は、収納ケースに関するものである。
【背景技術】
【０００２】
本出願人は、特開５７２１６８８号に開示される収納ケース（以下、従来例という。）を提案している。
【０００３】
この従来例は、開口部を有する合成樹脂製の箱形ケース体と、この箱形ケース体の開口部を開閉自在に閉塞する合成樹脂製の蓋体とから成り、箱形ケース体は、その上面部と前面部とに開口部としての上面開口部と前面開口部とを連設状態に設け、蓋体は、上面開口部を閉塞する合成樹脂製の上蓋部と前面開口部を閉塞する合成樹脂製の前蓋部とを有すると共に、この上蓋部と前蓋部とを互いに起伏回動自在に枢着連結した構成として、この蓋体の上蓋部が箱形ケース体の上面開口部を閉塞した状態で、この上蓋部に対し前蓋部を起動回動させて前面開口部を開放可能としたものである。
【０００４】
従って、従来例は、前蓋部を上蓋部に対し起動回動させて箱形ケース体の前面開口部だけを部分的に開放させるような使い方ができ非常に便利である。
【先行技術文献】
【特許文献】
【０００５】
【特許文献１】特開５７２１６８８号公報
【発明の概要】
【発明が解決しようとする課題】
【０００６】
本発明者は、前述した前面開口部を開閉し得る前蓋部を備えた収納ケースに関して更なる研究・開発を進めた結果、極めて商品価値の高い画期的な収納ケースを開発した。
【課題を解決するための手段】
【０００７】
添付図面を参照して本発明の要旨を説明する。
【０００８】
開口部を有する箱形ケース体１と、この箱形ケース体１の開口部を開閉自在に閉塞する蓋体２とから成り、前記箱形ケース体１は、その上面部と前面部とに開口部としての上面開口部３と前面開口部４とが連設状態に設けられ、前記蓋体２は、前記上面開口部３を閉塞する上蓋部５と、この上蓋部５に連設状態に設けられ前記前面開口部４を閉塞する前蓋部６とを有する収納ケースであって、前記前蓋部６は、前記前面開口部４の閉塞位置から水平状態となる開放位置まで前記上蓋部５に対して起伏回動自在に設けられるとともに、この水平状態の前記前蓋部６は、その一部若しくは全部が前記上蓋部５の内面部に重合状態となるまで前記上蓋部５に対して水平移動自在に設けられており、前記上蓋部５は、前記箱形ケース体１に対して起伏回動自在若しくは水平スライド移動自在に設けられて、前記前蓋部６を内面部に重合状態にて前記上面開口部３を開閉し得るように構成されていることを特徴とする収納ケースに係るものである。
【０００９】
また、前記上蓋部５は、前記箱形ケース体１の上端部にヒンジ部７を介して起伏回動自在に設けられていることを特徴とする請求項１記載の収納ケースに係るものである。
【００１０】
また、水平状態の前記前蓋部６の左右端部は前記上蓋部５の内面側左右端部に摺動支持可能に設けられて、水平状態の前記前蓋部６を前記上蓋部５に対して水平移動自在とする水平移動構造を具備するとともに、水平状態の前記前蓋部６が前記水平移動構造における摺動前方部位に位置する際に該前蓋部６の左右端部が前記上蓋部５の内面側左右端部に起伏回動可能に設けられて、水平状態の前記前蓋部６を前記前面開口部４の閉塞位置まで前記上蓋部５に対して起伏回動自在とする起伏回動構造を具備することを特徴とする請求項１記載の収納ケースに係るものである。
【００１１】
また、前記前蓋部６の左右端部に外方へ向けて突出する軸部８が設けられ、この軸部８を摺動支持可能な摺動部10が前記上蓋部５の内面側左右端部の前後長さ方向に設けられて、前記摺動部10に対して前記軸部８が摺動することで、水平状態の前記前蓋部６は、前記上蓋部５に対して水平移動自在に設けられて前記水平移動構造は構成され、前記軸部８を軸受けする軸受部９が前記摺動部10の前方部位に設けられて、この軸受部９に対して軸部８が回動することで、前記前蓋部６は前記前面開口部４の閉塞位置から水平状態となる開放位置まで前記上蓋部５に対して起伏回動自在に設けられて前記起伏回動構造は構成されていることを特徴とする請求項３記載の収納ケースに係るものである。
【００１２】
また、前記上蓋部５の左右端部にして前記軸受部９若しくは前記軸受部９の近傍部位には、前記前蓋部６の水平移動に際して該前蓋部６の左右端部を支持する支持部11が設けられていることを特徴とする請求項４記載の収納ケースに係るものである。
【００１３】
また、前記前蓋部６の左右端部には、前記前蓋部６の水平移動に際して前記支持部11に載置状態で支持される鍔状部12が外方へ向けて設けられていることを特徴とする請求項５記載の収納ケースに係るものである。
【００１４】
また、前記軸受部９は前記摺動部10の前方部位を折り返し湾曲形成して構成され、この軸受部９を構成する折り返し湾曲形成部10ａの上面部を前記支持部11としたことを特徴とする請求項５，６いずれか１項に記載の収納ケースに係るものである。
【００１５】
また、前記前蓋部６の閉塞状態を保持するロック機構13を具備することを特徴とする請求項１〜７いずれか１項に記載の収納ケースに係るものである。
【発明の効果】
【００１６】
本発明は上述のように構成したから、非常に操作性が良くて使い勝手が良いなど、極めて商品価値の高い画期的な収納ケースとなる。
【図面の簡単な説明】
【００１７】
【図１】本実施例を示す斜視図である。
【図２】本実施例の使用状態を示す斜視図である。
【図３】本実施例の使用状態を示す斜視図である。
【図４】本実施例の使用状態を示す斜視図である。
【図５】本実施例の要部の分解斜視図である。
【図６】本実施例の要部の説明図である。
【図７】本実施例の要部の説明図である。
【図８】本実施例の要部の説明断面図である。
【図９】本実施例の要部の説明断面図である。
【図１０】本実施例の要部の説明断面図である。
【図１１】本実施例の要部の動作説明図である。
【図１２】本実施例の要部の動作説明図である。
【図１３】本実施例の要部の動作説明断面図である。
【図１４】本実施例の別例を示す斜視図である。
【発明を実施するための形態】
【００１８】
好適と考える本発明の実施形態（発明をどのように実施するか）を、図面に基づいて本発明の作用を示して簡単に説明する。
【００１９】
例えば、箱型ケース体１の前面開口部４を閉塞した状態の前蓋部６を持ち、この前蓋部６を前面開口部４の閉塞位置から水平状態となる開放位置まで上蓋部５に対して起き回動（開放回動）させる。この際、前面開口部４は開放された状態となる。
【００２０】
この水平状態とした前蓋部６を水平移動させることで、前蓋部６はその一部若しくは全部が上蓋部の内面部に重合状態となる。
【００２１】
また、この前蓋部６が内面部に重合状態となった上蓋部５を箱形ケース体１に対して起き回動若しくは水平スライド移動することで、箱形ケース体１の上面開口部３も開放された状態となる。
【００２２】
従って、使用者の使い勝手に応じて、箱形ケース体１の開口部の開口面積を選択することができ、例えば、箱形ケース体１内の前方部位に対して被収納物を出し入れする場合には、前蓋部６を開放させて前面開口部４を開口させるだけでよく、また、箱形ケース体１内の全体に対して被収納物を出し入れする場合には、前蓋部６及び上蓋部５を開放させて前面開口部４及び上面開口部３を開口することで大きな開口状態（全開口状態）が得られるなど、非常に使い勝手が良いことになる。
【実施例】
【００２３】
本発明の具体的な実施例について図面に基づいて説明する。
【００２４】
本実施例は、開口部を有する箱形ケース体１と、この箱形ケース体１の開口部を開閉自在に閉塞する蓋体２とから成り、箱形ケース体１は、その上面部と前面部とに開口部としての上面開口部３と前面開口部４とが連設状態に設けられ、蓋体２は、上面開口部３を閉塞する上蓋部５と、この上蓋部５に連設状態に設けられ前面開口部４を閉塞する前蓋部６とを有する収納ケースであって、前蓋部６は、前面開口部４の閉塞位置から水平状態となる開放位置まで上蓋部５に対して起伏回動自在に設けられると共に、この水平状態の前蓋部６は、その一部若しくは全部が上蓋部５の内面部に重合状態となるまで前記上蓋部５に対して水平移動自在に設けられており、上蓋部５は、箱形ケース体１に対して起伏回動自在若しくは水平スライド移動自在に設けられて、前蓋部６を内面部に重合状態にて上面開口部３を開閉し得るように構成された収納ケースである。
【００２５】
以下、本実施例に係る構成各部について詳細な説明をする。
【００２６】
箱形ケース体１は、図１〜４，10に図示したように適宜な合成樹脂製の部材で一体成形したものであり、板状の底面部１ａと、この底面部１ａの前端に前傾状態で立ち上がる板状の前面部１ｂと、底面部１ａの左右側端に垂直状態で立ち上がる板状の左右側面部１ｃと、底面部１ａの後端に垂直状態で立ち上がる板状の後面部１ｄとで構成され、前面部１ｂは前方へ傾斜し左右側面部１ｃ及び後面部１ｄの高さよりも低い高さに設定され、箱形ケース体１は、その上面部と前面部とに開口部としての上面開口部３と前面開口部４とが連設状態に設けられている。
【００２７】
また、箱形ケース体１における上面開口部３の開口縁部には、後述する上蓋部５の周端縁部（被嵌凹部５ａ）が被嵌される上面鍔状部３ａが設けられ、また、箱形ケース体１における前面開口部４の開口縁部には、前面鍔状部４ａに連設され後述する前蓋部６の周端縁部を嵌合配設する段状凹部４ａ’を有する前面鍔状部４ａが設けられ、また、ている。
【００２８】
また、箱形ケース体１の左右側面部１ｃの上端部（上面鍔状部３ａ）には、凹状の指掛け部14が設けられており、この左右の指掛け部14に指を掛けて箱形ケース体１を持ち運ぶことができる。
【００２９】
本実施例では、この指掛け部14を設けた部位に帯体挿通孔14ａが設けられており、この左右の帯体挿通孔14ａに帯体（ベルト部材）を挿通装着してこの帯体を肩に掛けるなどして箱形ケース体１を運ぶこともできる。
【００３０】
蓋体２は、上面開口部３を閉塞する上蓋部５と、この上蓋部５に連設状態に設けられ前面開口部４を閉塞する前蓋部６とを有する。
【００３１】
上蓋部５は、図１〜４に図示したように適宜な合成樹脂製の部材を一体成形した方形板状体であり、周端縁部には箱形ケース体１の上端部（上面鍔状部３ａ）に被嵌する被嵌凹部５ａが設けられている。
【００３２】
また、上蓋部５は、箱形ケース体１の上端部（後面部１ｄの上面鍔状部３ａ）にヒンジ部７を介して起伏回動自在に設けられている。尚、左右側面部１ｃの上面鍔状部３ａに起伏回動自在に設けても良い。
【００３３】
従って、上蓋部５を開放することで、前面開口部４及び上面開口部３が開口された大きな開口状態（全開口状態）が得られる。
【００３４】
前蓋部６は、図１〜４に図示したように適宜な合成樹脂製の部材を一体成形した方形板状体であり、この前蓋部６の内面部には周縁から内側の位置に該周縁を縁取るように補強用突板部６ａが突出状態に設けられている。
【００３５】
本実施例では、水平状態の前蓋部６の左右端部は上蓋部５の内面側左右端部に摺動支持可能に設けられて、水平状態の前蓋部６を上蓋部５に対して水平移動自在とする水平移動構造を具備するとともに、水平状態の前蓋部６が水平移動構造における摺動前方部位に位置する際に該前蓋部６の左右端部が上蓋部５の内面側左右端部に起伏回動可能に設けられて、水平状態の前蓋部６を前面開口部４の閉塞位置まで上蓋部５に対して起伏回動自在とする起伏回動構造を具備している。
【００３６】
具体的には、前蓋部６の左右端部に外方へ向けて突出する軸部８が設けられ、この軸部８を摺動支持可能な摺動部10が上蓋部５の内面側左右端部の前後長さ方向に設けられて、摺動部10に対して軸部８が摺動することで、水平状態の前蓋部６は、上蓋部５に対して水平移動自在に設けられて水平移動構造は構成され、軸部８を軸受けする軸受部９が摺動部10の前方部位に設けられて、この軸受部９に対して軸部８が回動することで、前蓋部６は前面開口部４の閉塞位置から水平状態となる開放位置まで上蓋部５に対して起伏回動自在に設けられて起伏回動構造は構成されている。
【００３７】
前蓋部６に設けられる軸部８は、図５，６，７に図示したように前蓋部６の左右端部にして該前蓋部６で前面開口部４を閉塞した際の上方側となる端部位置に突設されている。
【００３８】
上蓋部５に設けられる摺動部10は、上蓋部５の内面側左右端部の前後長さ方向に設けられる垂設板部５ｂの下端部が内方へ向けて屈曲する断面Ｌ字状に設けて構成されており、この左右の摺動部10で水平状態の前蓋部６の左右端部を摺動支持可能に構成されている。
【００３９】
また、上蓋部５に設けられる軸受部９は、図５，６，７に図示したように摺動部10の前方部位をカール形状に折り返し湾曲形成して構成され、この軸受部９を構成する折り返し湾曲形成部10ａの上面部を前蓋部６の水平移動に際して該前蓋部６の左右端部を支持部する支持部11として構成している。尚、本実施例では、支持部11を軸受部９で構成しているが、この軸受部９の近傍部位に別途設けても良い。
【００４０】
また、前蓋部６の左右端部には、前蓋部６の水平移動に際して支持部11に載置状態で支持される鍔状部12が外方へ向けて突出状態に設けられている。
【００４１】
従って、水平状態の前蓋部６は、水平移動に際して、前蓋部６に設けられた軸部８が上蓋部５に設けられた摺動部10に支持され、前蓋部６に設けられた鍔状部12が上蓋部５に設けられた支持部11に支持される。また、支持部11で支持される部位を前蓋部６の左右端部に鍔状部12を設けるだけで良いから、例えば、前蓋部６の左右端部を高い成形精度が要求される厚みのある断面コ字状の端部とした場合に比し、多少の寸法誤差があっても確実に機能することになり、よって、生産性が飛躍的に向上することになる。
【００４２】
また、本実施例では、前蓋部６の閉塞状態を保持するロック機構13を具備する。
【００４３】
このロック機構13は、図４，８，９に図示したように箱形ケース体１の前面鍔状部４ａに設けられ操作部13ａ’の操作により作動する左右の係止部材13と、前蓋部６の周端縁部に設けられ、係止部材13ａが係脱自在に係合する凹状の係合部13ｂとで構成されている。
【００４４】
図14は、上蓋部５が箱形ケース体１に対して前後方向に水平スライド移動自在に設けられて、前蓋部６を内面部に重合状態にて上面開口部３を開閉し得るように構成された場合である。尚、この上蓋部５を箱形ケース体１の左右方向に水平スライド移動するようにしても良い。
【００４５】
本実施例は上述のように構成したから、箱型ケース体１の前面開口部４を閉塞した状態の前蓋部６を持ち、この前蓋部６を前面開口部４の閉塞位置から水平状態となる開放位置まで上蓋部５に対して起き回動（開放回動）させる。この際、前面開口部４は開放された状態となる（図10，11参照）。
【００４６】
この水平状態とした前蓋部６を水平移動させることで、前蓋部６はその一部若しくは全部が上蓋部の内面部に重合状態となる（図12参照）。
【００４７】
また、この前蓋部６が内面部に重合状態となった上蓋部５を箱形ケース体１に対して起き回動若しくは水平スライド移動することで、箱形ケース体１の上面開口部３も開放された状態となる（図13参照）。
【００４８】
よって、本実施例によれば、使用者の使い勝手に応じて、箱形ケース体１の開口部の開口面積を選択することができ、例えば、箱形ケース体１内の前方部位に対して被収納物を出し入れする場合には、前蓋部６を開放させて前面開口部４を開口させるだけでよく、また、箱形ケース体１内の全体に対して被収納物を出し入れする場合には、前蓋部６及び上蓋部５を開放させて前面開口部４及び上面開口部３を開口することで大きな開口状態（全開口状態）が得られるなど、非常に使い勝手が良いことになる。
【００４９】
尚、本発明は、本実施例に限られるものではなく、各構成要件の具体的構成は適宜設計し得るものである。
【符号の説明】
【００５０】
１  箱形ケース体
２  蓋体
３  上面開口部
４  前面開口部
５  上蓋部
６  前蓋部
７  ヒンジ部
８  軸部
９  軸受部
10  摺動部
10ａ  折り返し湾曲形成部
11  支持部
12  鍔状部
13  ロック機構
【図１】
2019182526.tif 000003
【図２】
2019182526.tif 000004
【図３】
2019182526.tif 000005
【図４】
2019182526.tif 000006
【図５】
2019182526.tif 000007
【図６】
2019182526.tif 000008
【図７】
2019182526.tif 000009
【図８】
2019182526.tif 000010
【図９】
2019182526.tif 000011
【図１０】
2019182526.tif 000012
【図１１】
2019182526.tif 000013
【図１２】
2019182526.tif 000014
【図１３】
2019182526.tif 000015
【図１４】
2019182526.tif 000016